(57)【要約】      （修正有）【課題】ユーザが興味のある情報を、適切なタイミングで提供する。【解決手段】受信部１０１は、受動的にデータを受信し、関心情報抽出部１０３へ出力する。関心情報抽出部１０３は、受信部１０１が受信した情報から、ユーザが関心を示す可能性のある情報を抽出し、興味情報判断部１１１へ出力する。興味情報判断部１１１は、ユーザが興味を有すると判断した興味情報を分類分けして蓄積し、興味情報伝達部１１７は、表示部１２１を介して興味情報を表示させるために、興味情報に関連付けられたアプリケーションに当該興味情報を伝達する。【選択図】図１
2012190160.tif 000002
【特許請求の範囲】
【請求項１】
静止画像データ、動画像データ、音声データ、文字データのうち少なくとも一つのデータを受信する受信部と、
前記少なくとも一つのデータを実行可能な一又は複数のアプリケーションを有するアプリケーション部と、
前記一又は複数のアプリケーションに対する操作を受け付ける操作部と、
前記少なくとも一つのデータから、ユーザが関心を示す可能性のある文字情報又は当該文字情報に付随する付帯情報を抽出する関心情報抽出部と、
ユーザが情報に対して興味を示した際に行う操作を行うか否かを監視する興味時操作監視部と、
前記関心情報抽出部が抽出した文字情報、及び前記興味時操作監視部の監視結果から、当該文字情報が、ユーザが関心を持つ興味情報であるか否かを判断する興味情報判断部と、
前記興味情報判断部が前記文字情報を前記興味情報であると判断した場合、前記文字情報又は前記付帯情報に基づき、前記興味情報を所定のカテゴリに分類して蓄積する興味情報蓄積部と、
前記所定のカテゴリ又は前記付帯情報を、前記一又は複数のアプリケーションに関連付ける興味情報・アプリケーション関連付部と、
（１）興味情報蓄積部が興味情報を蓄積すると同時、若しくは（２）前記所定のカテゴリ又は前記付帯情報に関連付けられた一又は複数のアプリケーションが前記操作部のユーザ操作により起動された場合、（３）前記付帯情報に含まれる条件が自装置の状態と一致又は所定の閾値の範囲内である場合に、前記アプリケーション部に前記興味情報を伝達する興味情報伝達部と、
前記興味情報伝達部が前記アプリケーション部に伝達した前記興味情報を表示する表示部と、を備える情報提供装置。
【請求項２】
請求項１に記載の情報提供装置は、更に、
ユーザの嗜好に合致するデータを含むユーザに関する情報を蓄積するユーザ情報蓄積部と、
前記ユーザの嗜好に合致するデータから嗜好情報として文字情報を抽出する嗜好情報抽出部とを備え、
前記興味情報判断部は、
前記関心情報抽出部が抽出した文字情報と前記嗜好情報抽出部が抽出した嗜好情報との一致度に基づき、前記文字情報が前記興味情報であるか否かを判断する、
情報提供装置。
【請求項３】
請求項２に記載の情報提供装置であって、
前記興味情報伝達部は、
前記関心情報抽出部が抽出した文字情報と前記嗜好情報抽出部が抽出した嗜好情報との一致度に応じて、前記アプリケーション部に前記興味情報を伝達する頻度を変化させる、
情報提供装置。
【請求項４】
請求項１又は２に記載の情報提供装置であって、
前記表示部が、前記興味情報伝達部が伝達した前記興味情報を一度表示した後に、前記操作部が、前記興味情報に対して行ったユーザの操作を受け付けた操作履歴に応じて前記関心情報を順位付けし、
前記興味情報伝達部は、当該関心情報の順位付けに応じて、前記アプリケーション部に前記興味情報を伝達する頻度を変化させる、
情報提供装置。
【請求項５】
静止画像データ、動画像データ、音声データ、文字データのうち少なくとも一つのデータを受信するステップと、
前記少なくとも一つのデータを実行可能な一又は複数のアプリケーション前記一又は複数のアプリケーションに対する操作を受け付けるステップと、
前記少なくとも一つのデータから、ユーザが関心を示す可能性のある文字情報又は当該文字情報に付随する付帯情報を抽出するステップと、
ユーザが情報に対して興味を示した際に行う操作を行うか否かを監視するステップと、
抽出された文字情報及び前記操作の監視結果から、当該文字情報が、ユーザが関心を持つ興味情報であるか否かを判断するステップと、
抽出された文字情報が前記興味情報であると判断された場合、前記文字情報又は前記付帯情報に基づき、前記興味情報を所定のカテゴリに分類して蓄積するステップと、
前記所定のカテゴリ又は前記付帯情報を、前記一又は複数のアプリケーションに関連付けるステップと、
（１）興味情報が蓄積されるのと同時、若しくは（２）前記所定のカテゴリ又は前記付帯情報に関連付けられた一又は複数のアプリケーションがユーザ操作により起動された場合、（３）前記付帯情報に含まれる条件が自装置の状態と一致又は所定の閾値の範囲内である場合には、前記一又は複数のアプリケーションに前記興味情報を伝達するステップと、
前記一又は複数のアプリケーションに伝達された前記興味情報を表示するステップと、を備える情報提供方法。
【請求項６】
コンピュータに、請求項５記載の各ステップを実行させるためのプログラム。
【発明の詳細な説明】
【技術分野】
【０００１】
本発明は、情報提供装置及び情報提供方法、プログラムに関する。
【背景技術】
【０００２】
携帯電話機などの携帯端末において、ワンセグやインターネットラジオなどの受動的メディアから取得した情報に基づき、興味をもった商品を購入したい、又は興味を持った行動を実践したいと考えても、ユーザが移動しながら使用することが多い携帯電話では、ユーザが所望の行動を起こすことができない場合が多い。
【０００３】
そして、実際の行動が起こせる状態となった場合には、その情報自体を忘れてしまい、結果として次の行動につながらないことがある。特に、受動的メディアから取得した情報は、元々ユーザが能動的に行動して取得した情報とは異なるために、実際の行動が起こせる状態となった場合には、その情報自体を忘れてしまい、結果として次の行動につながらないことが多い。
【０００４】
例えば、ユーザが携帯電話で受動的に取得した新製品情報により、取得した時にその新製品を購入したいと思っても、ユーザが、後で購入可能な店舗付近を通過したときには、その新製品情報自体を忘れてしまい、新製品を購入できないことがある。これでは、携帯電話は、ユーザの行動を適切に支援するために、ユーザに対して適切なタイミングで情報を再提供できてない。
【０００５】
また、特許文献１では、ユーザが視聴している間に行う番組制御に関係のない操作履歴から、ユーザの番組への集中度を抽出する事で、ユーザの嗜好情報を更新し、その更新された嗜好情報に基づいて、ユーザに番組推薦を行う技術が開示されている。
【０００６】
また、特許文献２では、ユーザから送られた情報を再表示する際に、ユーザから送られた情報だけでなく、その情報と関連のある関連情報をユーザから送られた情報と共にスケジュールを表示する情報表示システムが開示されている。
【先行技術文献】
【特許文献】
【０００７】
【特許文献１】特開２０１０−１８３３１９号公報
【特許文献２】特開２００１−２９７１１２号公報
【発明の概要】
【発明が解決しようとする課題】
【０００８】
しかしながら、特許文献１では、ユーザ嗜好情報を番組推薦に適用しているだけで、番組の推薦以外への適用、及び番組を推薦した後のユーザの行動支援について言及されていない。そのため、ユーザの嗜好に合った番組情報を再提供できるのは、番組表を表示するアプリケーションの動作時に限られる。したがって、特許文献１に開示されている技術を携帯電話に適用しても、様々なアプリケーションで情報の再提供が効率的にできない。
【０００９】
また、特許文献２では、表示される関連情報は、ユーザの嗜好情報には基づいていないので、ユーザが関心を持つ情報を提供できない場合がある。さらに、関連情報は、スケジュールを表示するアプリケーションの動作時にしか、提供されない。そのため、特許文献２に開示されている技術を携帯電話に適用しても、様々なアプリケーションで情報の再提供が効率的にできない。
【００１０】
このような課題に対し、受動的メディアから取得した情報に対する携帯電話での操作や予め携帯電話に記憶しておいた情報を分析することにより、ユーザが興味を持つ情報を蓄積し、ユーザに対して適切なタイミングで情報を再提供することができれば、ユーザが実際に行動を起こせる状態になった場合に、そのユーザの行動を適切に支援することができる。
【００１１】
本発明の目的は、ユーザが興味のある情報を、適切なタイミングで提供する情報提供装置及び情報提供方法、プログラムを提供することである。
【課題を解決するための手段】
【００１２】
本発明は、静止画像データ、動画像データ、音声データ、文字データのうち少なくとも一つのデータを受信する受信部と、前記少なくとも一つのデータを実行可能な一又は複数のアプリケーションを有するアプリケーション部と、前記一又は複数のアプリケーションに対する操作を受け付ける操作部と、前記少なくとも一つのデータから、ユーザが関心を示す可能性のある文字情報又は当該文字情報に付随する付帯情報を抽出する関心情報抽出部と、ユーザが情報に対して興味を示した際に行う操作を行うかどうかを監視する興味時操作監視部と、前記関心情報抽出部が抽出した文字情報と前記興味時操作監視部が監視するユーザが情報に対して興味を示したかどうかの結果から、前記文字情報がユーザが関心を持つ興味情報であるか否かを判断する興味情報判断部と、前記興味情報判断部が前記文字情報を前記興味情報であると判断した場合、前記文字情報又は前記付帯情報に基づき、前記興味情報を所定のカテゴリに分類して蓄積する興味情報蓄積部と、前記所定のカテゴリ又は前記付帯情報を、前記一又は複数のアプリケーションに関連付ける興味情報・アプリケーション関連付部と、（１）前記興味情報蓄積部が興味情報を蓄積すると同時、若しくは（２）前記所定のカテゴリ又は前記付帯情報に関連付けられた一又は複数のアプリケーションが前記操作部のユーザ操作により起動された場合、若しくは（３）前記付帯情報に含まれる条件が自装置の状態と一致又は所定の閾値の範囲内である場合に、前記アプリケーション部に前記興味情報を伝達する興味情報伝達部と、前記興味情報伝達部が前記アプリケーション部に伝達した前記興味情報を表示する表示部と、を備える情報提供装置を提供する。
【００１３】
上記情報提供装置では、更に、ユーザの嗜好に合致するデータを含むユーザに関する情報を蓄積するユーザ情報蓄積部と、前記ユーザの嗜好に合致するデータから嗜好情報として文字情報を抽出する嗜好情報抽出部とを備え、前記興味情報判断部は、前記関心情報抽出部が抽出した文字情報と前記嗜好情報抽出部が抽出した嗜好情報との一致度に基づき、前記文字情報が前記興味情報であるか否かを判断する。
【００１４】
上記情報提供装置では、前記興味情報伝達部は、前記関心情報抽出部が抽出した文字情報と前記嗜好情報抽出部が抽出した嗜好情報との一致度に応じて、前記アプリケーション部に前記興味情報を伝達する頻度を変化させる。
【００１５】
上記情報提供装置では、前記表示部が、前記興味情報伝達部が伝達した前記興味情報を一度表示した後に、前記操作部が、前記興味情報に対して行ったユーザの操作を受け付けた操作履歴に応じて前記興味情報を順位付けし、前記興味情報伝達部は、当該興味情報の順位付けに応じて、前記アプリケーション部に前記興味情報を伝達する頻度を変化させる。
【００１６】
また、本発明は、静止画像データ、動画像データ、音声データ、文字データのうち少なくとも一つのデータを受信するステップと、前記少なくとも一つのデータを実行可能な一又は複数のアプリケーション前記一又は複数のアプリケーションに対する操作を受け付けるステップと、前記少なくとも一つのデータから、ユーザが関心を示す可能性のある文字情報又は当該文字情報に付随する付帯情報を抽出するステップと、ユーザが情報に対して興味を示した際に行う操作を行うか否かを監視するステップと、抽出された文字情報及び前記操作の監視結果から、当該文字情報が、ユーザが関心を持つ興味情報であるか否かを判断するステップと、抽出された文字情報が前記興味情報であると判断された場合、前記文字情報又は前記付帯情報に基づき、前記興味情報を所定のカテゴリに分類して蓄積するステップと、前記所定のカテゴリ又は前記付帯情報を、前記一又は複数のアプリケーションに関連付けるステップと、（１）興味情報が蓄積されるのと同時、若しくは（２）前記所定のカテゴリ又は前記付帯情報に関連付けられた一又は複数のアプリケーションがユーザ操作により起動された場合、（３）前記付帯情報に含まれる条件が自装置の状態と一致又は所定の閾値の範囲内である場合には、前記一又は複数のアプリケーションに前記興味情報を伝達するステップと、前記一又は複数のアプリケーションに伝達された前記興味情報を表示するステップと、を備える情報提供方法を提供する。
【００１７】
また、本発明は、コンピュータに、上記情報提供方法の各ステップを実行させるためのプログラムを提供する。
【発明の効果】
【００１８】
本発明に係る情報提供装置及び情報提供方法、プログラムによれば、ユーザが興味のある情報を、適切なタイミングで提供することができる。
【図面の簡単な説明】
【００１９】
【図１】実施の形態に係る情報提供装置１００の構成を示すブロック図
【図２】興味情報蓄積部１１３が蓄積する興味情報の一例
【図３】（ａ）興味情報の分類とそれに対応するアプリケーションを示す図、（ｂ）付帯情報とそれに対応するアプリケーション及び実行タイミングを示す図
【図４】情報提供装置１００の処理フロー（１）
【図５】情報提供装置１００の処理フロー（２）
【図６】情報提供装置１００の処理フロー（３）
【図７】ユーザに情報提供する際の表示部１２１の表示例（１）
【図８】ユーザに情報提供する際の表示部１２１の表示例（２）
【図９】興味情報伝達処理フロー
【発明を実施するための形態】
【００２０】
以下、本発明の実施の形態について、図面を参照して説明する。
【００２１】
（実施の形態）
図１は、実施の形態に係る情報提供装置１００の構成を示すブロック図である。図１に示すように、本実施の形態に係る情報提供装置１００は、受信部１０１と、関心情報抽出部１０３と、ユーザ情報蓄積部１０５と、嗜好情報抽出部１０７と、興味時操作監視部１０９と、興味情報判断部１１１と、興味情報蓄積部１１３と、興味情報・アプリケーション関連付部１１５と、興味情報伝達部１１７と、アプリケーション部１１９と、表示部１２１と、操作部１２３と、を備える。
【００２２】
表示部１２１は、タッチパネルである操作部１２３と一体に設けられ、例えば、アプリケーション部１１９が保持するアプリケーションのユーザインターフェースを提供する。操作部１２３は、ユーザのタッチパネル操作を受け付ける。なお、操作部１２３はタッチパネル式ではなく、表示部１２１と別に設けられても良い。
【００２３】
受信部１０１は、アナログテレビ又はデジタルテレビ、インターネットラジオ、ＦＭラジオ、ストリーミング番組などを介して、受動的に静止画像データ、動画像データ、音声データ、文字データなどのデータを受信し、関心情報抽出部１０３へ出力する。
【００２４】
関心情報抽出部１０３は、受信部１０１が受信した情報から、ユーザが関心を示す可能性のある情報（以下、「関心情報」と称する）を抽出して、興味情報判断部１１１へ出力する。ここで、関心情報として抽出される情報としては、デジタル放送で送信されるメタ情報（データ放送及び電子番組表）から抽出された文字列や、テレビ番組から文字認識技術を使用して抽出されたＵＲＬ、ラジオ放送で送信される音声情報から音声認識技術を使用して抽出された文字列などがある。
【００２５】
例えば、関心情報抽出部１０３が、ラジオ放送で送信される音声情報「２０１０／１／１に場所Ｐで、イベントａｂｃを開催。チケット絶賛発売中」から音声認識技術を使用して関心情報及びそれに付随する付帯情報を抽出する場合、関心情報としてイベントａｂｃを文字列として抽出し、イベントａｂｃと同一文章内に存在する場所を示す文字列「場所Ｐ」や日時を示す文字列「２０１０／１／１」を関心情報に付随する付帯情報として抽出する。なお、同一文章内に限らず、興味情報を含む文章の前後の所定時間に含まれる場所、日時を示す情報を文字列として抽出してもよい。
【００２６】
ユーザ情報蓄積部１０５は、ユーザに関する様々な情報を蓄積する。ユーザ情報は、例えば、ユーザが作成した電話帳、音楽や動画、静止画、電子書籍等のデータベース、ブックマーク、ブラウザの履歴情報、Ｔｗｉｔｔｅｒ（登録商標）のフォロワーリストなどがある。これらのユーザ情報には、ユーザの嗜好に合致する情報（嗜好情報）が含まれる。
【００２７】
嗜好情報抽出部１０７は、ユーザ情報蓄積部１０５に蓄積されたユーザ情報から、ユーザの嗜好に合致する情報を抽出し、嗜好情報として、興味情報判断部１１１へ出力する。ここで、嗜好情報として抽出される情報としては、例えば、音楽データベースから抽出されたユーザの嗜好に合致するアーティスト名や音楽のジャンル名、ブックマークのフォルダ構成から抽出された、ユーザの嗜好に合致する分野名、Ｔｗｉｔｔｅｒ(登録商標)のフォロアーリストから抽出されたユーザの嗜好に合致する有名人の名前の文字列である。
【００２８】
興味時操作監視部１０９は、実行中のアプリケーションに対するユーザのタッチパネル操作に基づき、ユーザが情報に対して興味を示した際に行うタッチパネル操作を行った否かを監視し、その監視結果を興味情報判断部１１１へ出力する。ここで、興味時操作監視部１０９の監視結果とは、実行中のアプリケーションに対するユーザのタッチパネル操作に基づき、ユーザが関心情報に対して興味を示した際に行うタッチパネル操作を行った否かを示す情報である。
【００２９】
例えば、実行中のアプリケーションがブラウザの場合、興味時操作監視部１０９は、ユーザのタッチパネル操作に基づき、ブラウザの検索欄に興味情報を入力して検索したか否かを監視する。また、実行中のアプリケーションがメーラやＴｗｉｔｔｅｒ（登録商標）である場合、興味時操作監視部１０９は、ユーザのタッチパネル操作に基づき、興味情報を含む情報をメーラやＴｗｉｔｔｅｒ（登録商標）を介してユーザが発信したか否かを監視する。
また、実行中のアプリケーションがメモ帳や、各種再生・録画ソフトウェアである場合、興味時操作監視部１０９は、ユーザのタッチパネル操作に基づき、興味情報の記録を読み取ったか否かを監視する。
また、興味時操作監視部１０９は、今まで操作していたアプリケーションの操作を停止し、興味情報をよく聞くためのタッチパネル操作を行ったか否かを監視する。
【００３０】
興味情報判断部１１１は、関心情報抽出部１０３から入力された関心情報と、嗜好情報抽出部１０７から入力された嗜好情報との一致度を測定し、その測定した一致度に基づき、ユーザがこの一致した情報に対して興味が有るか否かを判断する。興味情報判断部１１１は、ユーザがこの一致した情報に対して興味が有ると判断した場合には、その情報を興味情報とみなして興味情報蓄積部１１３へ出力する。
【００３１】
また、興味情報判断部１１１は、関心情報抽出部１０３から入力された関心情報と、興味時操作監視部１０９の監視結果とから、ユーザがこの関心情報に対して興味が有るか否かを判断する。興味情報判断部１１１は、ユーザが関心情報に対して興味が有ると判断した場合には、関心情報を興味情報とみなして興味情報蓄積部１１３へ出力する。ここで、興味時操作監視部１０９の監視結果とは、実行中のアプリケーションに対するユーザのタッチパネル操作に基づき、ユーザが関心情報に対して興味を示した際に行うタッチパネル操作を行った否かを示す情報である。
【００３２】
例えば、興味情報判断部１１１は、テレビ番組を視聴している際に紹介された新商品情報をあらかじめ関心情報抽出部１０３から関心情報として取得し、さらに、アプリケーションであるブラウザで関心情報である新商品情報を検索するタッチパネル操作をユーザが行ったとの監視結果を興味時操作監視部１０９から取得した場合、ユーザがその新商品情報に興味が有るものと判断する。また、興味情報判断部１１１は、インターネットラジオで紹介されている本の新刊情報をより聴くために、音量を上げた場合には、その本の新刊情報にユーザが興味有りと判断する。
【００３３】
興味情報蓄積部１１３は、興味情報判断部１１１から出力された興味情報を分類して蓄積する。なお、興味情報蓄積部１１３は、興味情報に取得した日時や場所を示す付帯情報が含まれている場合には、その付帯情報も興味情報の分類と関連付けて蓄積する。
【００３４】
なお、図２中、分類ロジックを興味情報と同一テーブルとして示しているが、興味情報として蓄積されているものでない。分類ロジックとは、予め興味情報蓄積部１１３が保持しているもので、興味情報と判断された情報（興味情報）がどの分類に属するかを判別する際に用いられる判別方法を示すものである。図２中、分類ロジックとして、３つの判別方法を示している。
【００３５】
例えば、分類ロジック「http://で始まる文字列」とは、興味情報である「http://abc.com」について、興味情報の最初７文字がhttp://と同じかどうかを調べて、同じであればＵＲＬと判別する方法である。
【００３６】
また、分類ロジック「テーブル検索」とは、判断対象である興味情報を予め興味情報蓄積部１１３内に保持している興味情報と分類との関係が記載されたテーブルを検索することにより、その分類として判別する方法である。
【００３７】
また、分類ロジック「インターネット接続」とは、インターネット上に別途設けられている興味情報と分類との関係を検索できるサーバにアクセスすることで判別する方法である。
【００３８】
なお、興味情報蓄積部１１３が興味情報およびその付帯情報を蓄積する際、受信部１０１を介して、ネットワーク上のサーバなどから付帯情報を取得しても良い。なお、興味情報蓄積部１１３は、興味情報が蓄積された時間を合わせて記録し、蓄積された時間から所定期間を経過した場合には、その蓄積情報を削除してもよい。
【００３９】
ここで、図２を参照して、興味情報蓄積部１１３が蓄積する興味情報の一例を示す。図２は、興味情報蓄積部１１３が蓄積する興味情報の一例である。図２に示すように、興味情報がｈｔｔｐ：／／ａｂｃ．ｃｏｍである場合、分類名としてＵＲＬで分類されるが、その興味情報の付帯情報は存在しない。
【００４０】
また、興味情報が有名長寿番組名の文字列「ｄｄｄ」である場合、分類名としてテレビ番組で分類され、その興味情報の付帯情報として、日時情報（「日付：毎週水曜日、時間帯：２０：００〜２１：００」）が興味情報と関連付けて蓄積される。
【００４１】
また、興味情報がアーティスト名の文字列「ａａａａ」とその新曲名の文字列「ｂｂｂｂ」である場合、分類名としてＣＤで分類され、その興味情報の付帯情報として、日時情報（発売期間：２０１０／０９／２０以降）と場所情報（「販売店Ｃ」）とが興味情報と関連付けて蓄積される。
【００４２】
また、興味情報がイベント名の文字列「ｃｂａ」である場合、分類名としてイベントで分類され、その興味情報の付帯情報として、日時情報（「期間：２０１０／０９／２０」、時間：１５：００〜１７：００）と、場所情報（「場所Ｄ」）と、ＵＲＬ（「ｈｔｔｐ：／／ｃｂａ．ｃｏｍ」）と、電話番号（「○○○−△××△」）とが、興味情報と関連付けて蓄積される。分類ロジックとして、「インターネット接続」が蓄積される。
【００４３】
興味情報・アプリケーション関連付部１１５は、興味情報蓄積部１１３が分類して蓄積した興味情報及び付帯情報を読出して、その分類に基づいて、興味情報及び付帯情報をアプリケーション部１１９のアプリケーションに関連付けて、その対応関係を関連付け情報として興味情報伝達部１１７に出力する。例えば、分類された興味情報及び付帯情報をアプリケーションに関連付ける方法として、図３（ａ）、（ｂ）に示すテーブルに従って関連付ける方法がある。図３（ａ）は、興味情報の分類とそれに対応するアプリケーションを示す図であり、図３（ｂ）は、付帯情報とそれに対応するアプリケーション及び実行タイミングを示す図である。
【００４４】
図３（ａ）に示すように、分類「ＵＲＬ」にはアプリケーションの「ブラウザ」、分類「テレビ番組」にはアプリケーションの「テレビ視聴ソフトウェア」、分類「ＣＤ」にはアプリケーションの「音楽再生ソフトウェア」、分類「イベント」にはアプリケーションの「スケジューラ」、分類「書籍」にはアプリケーションの「電子書籍閲覧ソフトウェア」、分類「食品」にはアプリケーションの「ブラウザ」、分類「車」にはアプリケーションの「ブラウザ」、分類「事件・事故」にはアプリケーションの「ブラウザ」、分類「人物」にはアプリケーションの「ブラウザ」がそれぞれ対応する。
【００４５】
図３（ｂ）に示すように、付帯情報「日時情報」には、アプリケーションの「スケジューラ、アラーム」が対応し、その実行タイミングは「条件合致」に設定されている。付帯情報「場所情報」には、アプリケーションの「地図閲覧ソフトウェア」が対応し、その実行タイミングは「条件合致」に設定されている。付帯情報「ＵＲＬ」には、アプリケーションの「ブラウザ」が対応し、その実行タイミングは「起動時」に設定されている。付帯情報「電話番号」には、アプリケーションの「電話ソフトウェア」が対応し、その実行タイミングは「起動時」に設定されている。
【００４６】
なお、分類された興味情報及び付帯情報をアプリケーションに関連付ける方法として、装置内に保持された一定のルールに従って関連付ける以外にも、受信部１０１を介して外部のネットワークから関連付け情報を管理しているサーバから情報を取得しても良い。
【００４７】
興味情報伝達部１１７は、興味情報蓄積部１１３が分類して蓄積した興味情報及び付帯情報を参照して、興味情報・アプリケーション関連付部１１５から入力された関連付け情報に基づき、アプリケーション部１１９の各アプリケーションに対して、ユーザに表示部１２１を介して提供する興味情報又は付帯情報を伝達する。興味情報伝達部１１７が、関連付け情報に基づき、アプリケーション部１１９の各アプリケーションに興味情報を伝達するタイミングは、アプリケーション部１１９のアプリケーションを起動する時でも良いし、付帯情報に付随する実行タイミングでも良い。
【００４８】
なお、興味情報伝達部１１７は、興味情報・アプリケーション関連付部１１５から入力された関連付け情報が入力された時点で即座にアプリケーション部１１９の各アプリケーションに対して、ユーザに表示部１２１を介して提供する興味情報又は付帯情報を伝達しても良いし、伝達する頻度（「興味情報伝達頻度」と称する）を以下のように適宜変更しても良い。
【００４９】
（興味情報伝達頻度）
興味情報伝達頻度は、表示部１２１に興味情報又は付帯情報が表示された時点でユーザのタッチパネル操作により段階的に変化させても良い。
【００５０】
例えば、表示部１２１に興味情報又は付帯情報が表示された時点で、同一の画面内に「はい」、「いいえ」というオブジェクトを表示部１２１に表示して、興味情報伝達頻度を変化するか否かをユーザに２値的に選択させても良い。
【００５１】
また、表示部１２１に興味情報又は付帯情報が表示された後にユーザが行った操作を監視し、その興味情報又は付帯情報の伝達頻度を変化させても良い。
【００５２】
また、興味情報伝達頻度は、ユーザのその興味情報又は付帯情報に対する興味の度合と関連付けて変化させても良い。ここで、興味の度合とは、関心情報と嗜好情報との一致度又は順位付けされた関心情報に対するユーザが行った操作の操作履歴である。
【００５３】
アプリケーション部１１９は、情報提供装置１００が保持する一又は複数のアプリケーションを有する。アプリケーション部１１９は、興味情報伝達部１１７から出力された興味情報又はその付帯情報をユーザに表示部１２１を介して提供するために、関連付け情報により興味情報又はその付帯情報に関連付けられたアプリケーションを実行し、そのユーザインターフェースを表示部１２１へ出力する。アプリケーションは、例えば、メモ帳、メーラ、スケジューラ、ブラウザ、テレビ再生録画ソフトウェア、音楽再生・録音ソフトウェア、地図閲覧ソフトウェアなどがある。各アプリケーションは、ユーザの表示部１２１におけるタッチパネル操作を介して操作される。
【００５４】
なお、関連付け情報により興味情報又はその付帯情報に関連付けられたアプリケーションは、図３（ａ）、（ｂ）に示すように、複数のアプリケーションが存在する場合には、全てのアプリケーションを順次実行しても良いし、いずれか一つのアプリケーションを実行してもよい。また、興味情報及びその付帯情報の両方に関連付けられたアプリケーションを優先して実行しても良い。さらには、ユーザにいずれのアプリケーションを実行すべきかを選択させるように表示部１２１を介してユーザに問い合わせても良い。
【００５５】
アプリケーション部１１９の各アプリケーションがユーザに興味情報又はその付帯情報を提供する態様について説明する。興味情報伝達部１１７から出力された興味情報が、例えば、図２に示す有名長寿番組名「ｄｄｄ」である場合、分類「テレビ番組」に関連付けられた図３（ａ）に示すアプリケーション「テレビ視聴・録画ソフトウェア」を、図３（ｂ）に示す実行タイミングとして、日時情報である「日付：毎週水曜日時間帯：２０：００−２１：００」と現在の日時が合致した場合起動され、有名長寿番組名「ｄｄｄ」を録画するかどうかを表示部１２１を介してユーザに問い合わせることができる。
【００５６】
上述のように、本実施の形態では、関連付け情報により興味情報又はその付帯情報に関連付けられたアプリケーションが実行される、興味情報又はその付帯情報がユーザに適切なタイミングで表示部１２１を介して提供される。そのため、本実施の形態に係る情報提供装置１００は、ユーザに対して適切なタイミングでユーザが興味を有する興味情報を再提供することができる。したがって、本実施の形態に係る情報提供装置１００は、ユーザが実際に行動を起こせる状態になった場合に、ユーザが興味を有する興味情報を再提供して、そのユーザの行動を適切に支援することができる。
【００５７】
図４に本実施の形態に係る情報提供装置１００の処理フロー（１）を示す。図４に示すように、ステップＳＴ５００で興味情報判断処理（図５参照）を実行し、ステップＳＴ６００で興味情報提供処理（図６参照）を実行する。図４では、興味情報判断処理と興味情報提供処理が逐次的に処理されている例を示しているが、これに限らない。例えば、受信部１０１が情報を受信している間、ステップＳＴ５００に示す興味情報判断処理だけをループ処理とし、その後受信部１０１が情報を受信し終えると、ステップＳＴ６００に示す興味情報提供処理が実行されるフローでも良い。また、ステップＳＴ６００に示す興味情報提供処理がステップＳＴ５００に示す興味情報判断処理と独立して定期的に実行されるフローでもよい。
【００５８】
図５を参照して、情報提供装置１００の興味情報判断処理フローを説明する。ステップＳＴ５０１では、情報受信処理として、受信部１０１が受動的に動画像、音声、文字などの情報を受信する。そして、ステップＳＴ５０３へ遷移する。
【００５９】
ステップＳＴ５０３では、関心情報抽出処理として、関心情報抽出部１０３が、受信部１０１が受信した情報から、ユーザが関心を示す可能性のある関心情報を抽出する。そして、関心情報が抽出された場合（Ｙｅｓの場合）には、ステップＳＴ５０５へ遷移し、関心情報が抽出されない場合（ＮＯの場合）には、ステップＳＴ５０１へ遷移する。
【００６０】
ステップＳＴ５０５では、興味情報判断処理として、興味情報判断部１１１が、関心情報抽出部１０３から入力された関心情報と、嗜好情報抽出部１０７から入力された嗜好情報との一致度を測定し、その測定した一致度に基づき、ユーザがこの一致した情報に対して興味が有るか否かを判断する。そして、ユーザがこの一致した情報に対して興味が有ると判断された場合（Ｙｅｓの場合）には、ステップＳＴ５０７へ遷移し、ユーザがこの一致した情報に対して興味が無いと判断された場合（Ｎｏの場合）には、ステップＳＴ５０１へ遷移する。
【００６１】
ステップＳＴ５０７では、興味情報蓄積処理として、興味情報蓄積部１１３が、興味情報判断部１１１から出力された興味情報を分類して蓄積する。そして、興味情報判断処理を終了する。
【００６２】
図６を参照して、情報提供装置１００の興味情報提供処理フローを説明する。ステップＳＴ６０１では、興味情報読出し処理として、興味情報・アプリケーション関連付部１１５が、分類された興味情報及び付帯情報をアプリケーションに関連付けるために、興味情報蓄積部１１３が分類して蓄積した興味情報及び付帯情報を読み出す。そして、ステップＳＴ６０３へ遷移する。
【００６３】
ステップＳＴ６０３では、興味情報・アプリケーション関連付処理として、興味情報・アプリケーション関連付部１１５は、興味情報蓄積部１１３から読み出した興味情報及び付帯情報を、その分類に基づいて、アプリケーション部１１９のアプリケーションに関連付けて、その対応関係を関連付け情報として興味情報伝達部１１７に出力する。そして、ステップＳＴ６０５へ遷移する。
【００６４】
ステップＳＴ６０５では、興味情報伝達処理として、興味情報伝達部１１７は、興味情報蓄積部１１３が分類して蓄積した興味情報及び付帯情報を参照して、興味情報・アプリケーション関連付部１１５から入力された関連付け情報に基づき、アプリケーション部１１９のアプリケーションＡ、Ｂ、Ｃのいずれか又は複数に対して、ユーザに表示部１２１を介して提供する興味情報又は付帯情報を伝達する。そして、アプリケーションＡの場合にはステップＳＴ６０７へ、アプリケーションＢの場合にはステップＳＴ６０９へ、アプリケーションＣの場合にはステップＳＴ６１１へ遷移する。
【００６５】
ステップＳＴ６０７では、興味情報提供処理（関連アプリケーションＡ）として、アプリケーション部１１９は、興味情報伝達部１１７から出力された興味情報又はその付帯情報をユーザに表示部１２１を介して提供するために、関連付け情報により興味情報又はその付帯情報に関連付けられた関連アプリケーションＡを実行し、そのユーザインターフェースを表示部１２１へ出力する。そして、興味情報提供処理を終了する。
【００６６】
ステップＳＴ６０９では、興味情報提供処理（関連アプリケーションＢ）として、アプリケーション部１１９は、興味情報伝達部１１７から出力された興味情報又はその付帯情報をユーザに表示部１２１を介して提供するために、関連付け情報により興味情報又はその付帯情報に関連付けられた関連アプリケーションＢを実行し、そのユーザインターフェースを表示部１２１へ出力する。そして、興味情報提供処理を終了する。
【００６７】
ステップＳＴ６１１では、興味情報提供処理（関連アプリケーションＣ）として、アプリケーション部１１９は、興味情報伝達部１１７から出力された興味情報又はその付帯情報をユーザに表示部１２１を介して提供するために、関連付け情報により興味情報又はその付帯情報に関連付けられた関連アプリケーションＣを実行し、そのユーザインターフェースを表示部１２１へ出力する。そして、興味情報提供処理を終了する。
【００６８】
（表示部１２１の表示例１）
図７を参照して、情報提供装置１００がユーザに情報提供する際の表示部１２１の表示例（１）について説明する。図７に示す（画面７−１）では、受信部１０１がインターネットラジオを受信中に、ユーザが視聴した「イベント「ｃｂａ」を期間「２０１０／０９／２０」に「場所Ｄ」で開催」という情報に基づき、ユーザがブラウザを起動して、表示部１２１に表示されたブラウザ検索文字入力枠にイベント「ｃｂａ」を入力して、イベント「ｃｂａ」についてインターネットで調べている。
【００６９】
例えば、図３（ａ）を参照すると、分類である「イベント」は、アプリケーションのスケジューラに関連付けられているので、図７に示す（画面７−１）の後に（画面７−２）に遷移して、分類「イベント」に関連付けられたアプリケーションのスケジューラが起動されて、スケジューラにイベント「ｃｂａ」を登録することを促すメッセージが表示部１２１に表示される。
【００７０】
例えば、図３（ｂ）を参照すると、付帯情報のひとつである場所情報は、アプリケーションの地図閲覧ソフトウェアに関連付けられているので、図７に示す（画面７−１）の後に情報提供装置１００が場所「Ｄ」の近くに移動すると、（画面７−３）に遷移して、アプリケーションである地図閲覧ソフトが起動されて、「２０１０／０９／２０にイベント「ｃｂａ」がこの付近で開催される」旨の通知が表示部１２１に再度表示される。なお、情報提供装置１００が場所「Ｄ」の近くに移動することが、実行タイミングの条件となっている。
【００７１】
例えば、図３（ｂ）を参照すると、付帯情報のひとつである日時情報は、アプリケーションのスケジューラに関連付けられているので、図７に示す（画面７−１）の後に２０１０／０９／２０に現在の日付が遷ると、（画面７−４）では、アラームアプリケーションが起動して、「イベント「ｃｂａ」が開催される」旨の通知が表示部１２１に再度表示される。なお、２０１０／０９／２０に現在の日付が遷ることが、実行タイミングの条件となっている。
【００７２】
（表示部１２１の表示例２）
図８を参照して、情報提供装置１００がユーザに情報を提供する際の表示部１２１の表示例（２）について説明する。図８に示す（画面８−１）では、受信部１０１がデジタルテレビ放送を受信して、ユーザが表示部１２１のデジタルテレビ放送視聴画面で、「アーティスト名「ａａａａ」の新曲名「ｂｂｂｂ」のＣＤ発売」という情報を視聴している。なお、ユーザ情報蓄積部１０５には、ユーザ情報として予めアーティスト名「ａａａａ」の楽曲データを多数保持しているものとする。したがって、嗜好情報は、アーティスト名「ａａａａ」である。
【００７３】
例えば、図３（ａ）を参照すると、分類である「ＣＤ」は、アプリケーションである音楽再生ソフトウェアに関連付けられているので、図８に示す（画面８−１）の後に（画面８−２）に遷移して、分類である「ＣＤ」に関連付けられたアプリケーションの音楽再生ソフトウェアが起動されると、「アーティスト名「ａａａａ」の新曲名「ｂｂｂｂ」のＣＤ発売中です」という情報が表示部１２１に再提供される。
【００７４】
これは、興味情報判断部１１１が、ユーザ情報に含まれる嗜好情報であるアーティスト名「ａａａａ」と、デジタルテレビ放送視聴画面で提供された「アーティスト名「ａａａａ」の新曲名「ｂｂｂｂ」のＣＤ発売」という情報との合致度を測定した結果、アーティスト名「ａａａａ」を興味情報と判断したからである。なお、この興味情報の付帯情報は、デジタルテレビ放送に含まれる受信コンテンツの補足情報から抽出することができる。補足情報がＨＴＭＬなどの構造化された文書の場合、興味情報を内容として持つ要素の属性値や興味内容を装飾するタグの属性値を付帯情報として抽出している。
【００７５】
例えば、図２を参照すると、分類である「ＣＤ」として分類されたアーティスト名「ａａａａ」の新曲名「ｂｂｂｂ」の付帯情報に含まれる場所情報は「販売店Ｃ」である。そのため、付帯情報である場所情報に関連付けられたアプリケーションは地図閲覧ソフトウェアであるので、図８に示す（画面８−１）の後に、情報提供装置１００が「販売店Ｃ」の近くに移動すると、（画面８−３）に遷移して、地図閲覧アプリケーションが起動して、「アーティスト名「ａａａａ」新曲名「ｂｂｂｂ」のＣＤが発売中です」という通知が表示部１２１に再提供される。
【００７６】
図９を参照して、興味情報伝達処理フローについて説明する。ステップＳＴ９０１では、興味情報伝達部１１７は、興味情報蓄積部１１３が分類して蓄積した興味情報及び付帯情報を参照する際、興味情報に付随する付帯情報があるか否かを判断し、興味情報に付随する付帯情報がある場合（Ｙｅｓの場合）には、ステップＳＴ９０３へ遷移し、興味情報に付随する付帯情報がない場合（Ｎｏの場合）には、ステップＳＴ９０５へ遷移する。
【００７７】
ステップＳＴ９０３では、興味情報伝達部１１７は、付帯情報に含まれる日時・場所を示す情報が、現在の情報提供装置１００が保持する日時を示す情報・現在の情報提供装置１００の位置情報との差異が所定の閾値の範囲内か否かを監視する。
【００７８】
ステップＳＴ９０５では、興味情報伝達部１１７は、アプリケーションの起動を監視し、ステップＳＴ９０７へ遷移する。
【００７９】
なお、ステップＳＴ９０５では、興味情報伝達部１１７が、アプリケーションを起動しても良い。これは、興味情報伝達部１１７が、アプリケーションの起動を監視している間に、時間が経過したり移動したりすることにより、ＳＴ９０７の有効範囲からはずれてしまう場合があるからである。
【００８０】
ステップＳＴ９０７では、興味情報伝達部１１７は、現在の情報提供装置１００が保持する日時を示す情報・現在の情報提供装置１００の位置情報が、付帯情報の有効範囲内であるか否かを判定する。そして、有効範囲内であると判定された場合には、ステップＳＴ９０９へ遷移し、有効範囲内でないと判定された場合には、ステップＳＴ９０１へ遷移する。
【００８１】
ステップＳＴ９０９では、興味情報伝達部１１７は、アプリケーション部１１９の各アプリケーションに対して、ユーザに表示部１２１を介して提供する興味情報又は付帯情報を伝達する。そして、興味情報伝達処理を終了する。
【産業上の利用可能性】
【００８２】
本発明に係る情報提供装置及び情報提供方法、プログラムは、ユーザが興味のある情報を、適切なタイミングで提供することができるといった効果を有し、携帯端末等として有用である。
【符号の説明】
【００８３】
１００      情報提供装置
１０１      受信部
１０３      関心情報抽出部
１０５      ユーザ情報蓄積部
１０７      嗜好情報抽出部
１０９      興味時操作監視部
１１１      興味情報判断部
１１３      興味情報蓄積部
１１５      興味情報・アプリケーション関連付部
１１７      興味情報伝達部
１１９      アプリケーション部
１２１      表示部
１２３      操作部
【図１】
2012190160.tif 000003
【図２】
2012190160.tif 000004
【図３】
2012190160.tif 000005
【図４】
2012190160.tif 000006
【図５】
2012190160.tif 000007
【図６】
2012190160.tif 000008
【図７】
2012190160.tif 000009
【図８】
2012190160.tif 000010
【図９】
2012190160.tif 000011